(57)【要約】【課題】配管部材が隔壁部材を貫通する部分における組立作業性および密封性を向上させるとともに、配管部材の振動および凝縮水の外部漏洩等を防止する。【解決手段】配管部材支持構造Ｓは、配管部材２６，２７が隔壁部材３を貫通する部分において、隔壁部材３に形成された切欠部３１と、切欠部３１に密に嵌合され、配管部材２６，２７を防振的に保持する弾性体の防振保持部材３２とを具備している。防振保持部材３２は、配管部材２６，２７が密に挿通される配管挿通穴３８，３９と、この穴から防振保持部材３２の嵌合方向Ｆに向かって延び、対向する二面４１ａ，４２ａを有する切通し部４１，４２とを備えている。切通し部４１，４２の二面の間隔寸法ｗ１，ｗ２は、配管挿通穴３８，３９の内径寸法ｄ１，ｄ２よりも小さく、且つ、防振保持部材３２の弾性範囲内で押し開くことにより配管部材２６，２７を配管挿通穴３８，３９に嵌め込み可能な大きさである。【選択図】図４
2015178928.tif 000002
【特許請求の範囲】
【請求項１】
上下に一体化された室外ユニットおよび室内ユニットと、
前記室外ユニットと前記室内ユニットとの間を隔てる隔壁部材と、
前記室外ユニットと前記室内ユニットとの間を接続し、前記隔壁部材を貫通する配管部材と、を具備してなる内外一体型空気調和機の配管部材支持構造であって、
前記隔壁部材の縁部に形成された湾入形状の切欠部と、
弾性材料により形成されて前記切欠部に密に嵌合され、前記配管部材を防振的に保持する防振保持部材と、を具備し、
前記防振保持部材は、
前記配管部材が密に挿通される配管挿通穴と、
前記配管挿通穴から前記防振保持部材の嵌合方向に向かって延び、対向する二面を有する切通し部と、を備え、
前記切通し部の前記二面の間隔寸法は、前記配管挿通穴の内径寸法よりも小さく、且つ、前記防振保持部材の弾性範囲内で押し開くことにより前記配管部材を前記配管挿通穴に嵌め込み可能な大きさであることを特徴とする内外一体型空気調和機の配管部材支持構造。
【請求項２】
前記防振保持部材における前記切通し部の最上部は、前記二面の間隔がゼロになるスリット部となっており、このスリット部の肉厚は、前記配管部材の前記配管挿通穴への嵌め込みを妨げない程度の厚さに設定されていることを特徴とする請求項１に記載の内外一体型空気調和機の配管部材支持構造。
【請求項３】
前記防振保持部材の上面には、前記配管挿通穴の周囲を間隔を空けて囲む止水壁が立設されていることを特徴とする請求項１または２に記載の内外一体型空気調和機の配管部材支持構造。
【請求項４】
前記防振保持部材の外周面には、前記切欠部の内周縁部に嵌合する外周嵌合溝が形成され、
前記内周縁部の両端部には、前記切欠部の湾入形状の内側に向かって延びる係合爪が形成され、
前記外周嵌合溝の両端部には、前記係合爪が係合する係合凹部が形成されていることを特徴とする請求項１に記載の内外一体型空気調和機の配管部材支持構造。
【請求項５】
前記切欠部に、前記防振保持部材の外周面に沿う縦壁部が形成されていることを特徴とする請求項１から４のいずれかに記載の内外一体型空気調和機の配管部材支持構造。
【請求項６】
上下に一体化された室外ユニットおよび室内ユニットと、
前記室外ユニットおよび前記室内ユニットの間を隔てる隔壁部材と、
請求項１から５のいずれかに記載の配管部材支持構造と、
を備えてなることを特徴とする内外一体型空気調和機。
【発明の詳細な説明】
【技術分野】
【０００１】
本発明は、室内ユニットと室外ユニットとが一体化された内外一体型空気調和機の配管部材支持構造、およびこれを備えた内外一体型空気調和機に関するものである。
【背景技術】
【０００２】
特許文献１には、室内ユニットと室外ユニットとが水平方向に隣接して一体化された内外一体型空気調和機が示されている。このような内外一体型の空気調和機では、室内ユニットと室外ユニットとの間が中仕切板によって仕切られ、室内ユニットと室外ユニットとの間を接続する冷媒配管が中仕切板を貫通する構造となっている。
【０００３】
同文献の第２図には、外部の風雨が中仕切板の切欠部から室内ユニット側に侵入することを防止するべく、従来技術として切欠部にパテ（シーラント等）を充填した配管部材支持構造が記載されている。
ところが、このように冷媒配管が通る切欠部にパテを充填した配管部材支持構造は、その組立に手間が掛かるだけでなく、パテを充填する作業者の熟練度によってはパテの充填状態にバラつきが生じ、密封性が低下する懸念があった。
【０００４】
そこで、同文献の第３図および第４図には、改良技術として中仕切板の上から被装される室内カバーの縁部に、切欠部の上方を覆うように膨出させた庇状の突出部と、この突出部から下方に折れ曲がる折曲部とを設け、降雨時の水滴を切欠部から浸入させないようにした構造が記載されている。
【先行技術文献】
【特許文献】
【０００５】
【特許文献１】実公昭６２−２７７８４号公報
【発明の概要】
【発明が解決しようとする課題】
【０００６】
しかしながら、特許文献１の第３図および第４図の構造では、冷媒配管が中仕切板の切欠部に挿通されるだけであり、パテや防振材等は用いられていないため、室外ユニットに内蔵されている圧縮機の振動が冷媒配管を経て室内ユニット側に伝達されてしまい、振動音が発生したり、振動の影響により室内ユニット側に内蔵されている蒸発器の耐久性が低下したりする懸念がある。
【０００７】
また、例えば冷房運転時には、室外ユニットの内部において冷媒を凝縮させるコンデンサが冷却ファンにより冷却されるが、このコンデンサを冷却し終えた熱風が、上述した冷媒配管の挿通される切欠部を通って室内ユニット側に抜けてしまい、室内ユニットの内部に設置されている蒸発器の冷却効率を低下させてしまうという不具合があった。
【０００８】
本発明は、上記の事情に鑑みてなされたものであり、上下に一体化された室外ユニットと室内ユニットとの間を隔てる隔壁部材に配管部材が貫通される構造の内外一体型空気調和機において、該配管部材の隔壁部材への貫通部における組立作業性および密封性を向上させるとともに、配管部材の振動および凝縮水の外部漏洩等を防止することのできる内外一体型空気調和機の配管部材支持構造、およびこれを備えた内外一体型空気調和機を提供することを目的とする。
【課題を解決するための手段】
【０００９】
本発明は、上記課題を解決するため、以下の手段を採用した。
本発明に係る内外一体型空気調和機の配管部材支持構造は、上下に一体化された室外ユニットおよび室内ユニットと、前記室外ユニットと前記室内ユニットとの間を隔てる隔壁部材と、前記室外ユニットと前記室内ユニットとの間を接続し、前記隔壁部材を貫通する配管部材と、を具備してなる内外一体型空気調和機の配管部材支持構造であって、前記隔壁部材の縁部に形成された湾入形状の切欠部と、弾性材料により形成されて前記切欠部に密に嵌合され、前記配管部材を防振的に保持する防振保持部材と、を具備し、前記防振保持部材は、前記配管部材が密に挿通される配管挿通穴と、前記配管挿通穴から前記防振保持部材の嵌合方向に向かって延び、対向する二面を有する切通し部と、を備え、前記切通し部の前記二面の間隔寸法は、前記配管挿通穴の内径寸法よりも小さく、且つ、前記防振保持部材の弾性範囲内で押し開くことにより前記配管部材を前記配管挿通穴に嵌め込み可能な大きさであることを特徴とする。
【００１０】
上記構成の配管部材支持構造によれば、室外ユニットと室内ユニットとの間を隔てる隔壁部材の縁部に形成された凹形状の切欠部に、弾性材料により形成された防振保持部材が密に嵌合され、この防振保持部材によって配管部材が防振的に保持される。このため、室外ユニットに内蔵されている圧縮機の振動が金属製の配管部材を経て室内ユニット側に伝達されてしまうことが防止され、振動音の発生や、室内ユニット側に内蔵されている蒸発器の耐久性低下といった懸念を解消することができる。
【００１１】
防振保持部材に形成されている配管挿通穴は、防振保持部材の嵌合方向に向かって延びる切通し部を経て防振保持部材の背面側に連通している。このため、切欠部の中を通る配管部材の配設が完了していても、この配管部材に対して防振保持部材を後から簡単に嵌め込み、切欠部に装着することができる。したがって、防振保持部材を組み付ける際の作業性が極めて良い。
【００１２】
切通し部の二面間の間隔寸法は、防振保持部材の弾性範囲内で押し開けば配管部材を配管挿通穴に嵌め込むことができる大きさではあるが、配管挿通穴の内径寸法よりは狭い寸法に設定されている。このため、配管挿通穴に嵌め込まれた配管部材が振動等によって切通し部側に抜けてしまうことがなく、防振保持部材の弾性によって配管部材の水平方向（前後左右方向）への振動が効果的に制振される。
【００１３】
また、本発明に係る内外一体型空気調和機の配管部材支持構造は、上記構成において、前記防振保持部材における前記切通し部の最上部は、前記二面の間隔がゼロになるスリット部となっており、このスリット部の肉厚は、前記配管部材の前記配管挿通穴への嵌め込みを妨げない程度の厚さに設定されていることを特徴とする。
【００１４】
上記構成の配管部材支持構造によれば、スリット部によって切通し部の上部が閉塞されるため、配管部材の表面に結露した凝縮水が防振保持部材の上面に流れ落ちた場合に、この凝縮水が切通し部から勢い良く流下することを防止できる。凝縮水はスリット部から下方に漏れ、配管部材を伝って下方に流れる。このため、凝縮水を所定の位置（ドレンパン等）に確実に導いて適切に処理することができる。
【００１５】
しかも、スリット部によって切通し部の上部が閉塞されるため、室外ユニットと室内ユニットとの間での空気の流動を阻止することができる。このため、例えば冷房運転時に室外ユニットの内部に発生する熱風が室内ユニットの内部に流れて冷房効率を低下させてしまうこと（熱ロス）を防止することができる。
【００１６】
また、本発明に係る内外一体型空気調和機の配管部材支持構造は、上記構成において、前記防振保持部材の上面には、前記配管挿通穴の周囲を間隔を空けて囲む止水壁が立設されていることを特徴とする。
これにより、配管部材の表面に結露した凝縮水が防振保持部材の上面に流れ落ちた場合に、この凝縮水が止水壁によって堰き止められ、流動を防止される。このため、凝縮水を任意の方向に流して適切に処理することができる。
【００１７】
また、本発明に係る内外一体型空気調和機の配管部材支持構造は、上記構成において、前記防振保持部材の外周面には、前記切欠部の内周縁部に嵌合する外周嵌合溝が形成され、前記内周縁部の両端部には、前記切欠部の湾入形状の内側に向かって延びる係合爪が形成され、前記外周嵌合溝の両端部には、前記係合爪が係合する係合凹部が形成されていることを特徴とする。
【００１８】
上記構成によれば、防振保持部材の外周嵌合溝に切欠部の内周縁部が嵌るように、防振保持部材を切欠部に押し込めば、最後に内周縁部の係合爪が外周嵌合溝の係合凹部に係合し、これによって防振保持部材が切欠部に位置決めされて嵌合される。この係合爪と係合凹部との係合により、防振保持部材が切欠部から自然に抜脱することがない。したがって、防振保持部材の組み付け作業性を向上させるとともに、切欠部における防振保持部材の保持力を高めることができる。
【００１９】
また、本発明に係る内外一体型空気調和機の配管部材支持構造は、上記構成において、前記切欠部に、前記防振保持部材の外周面に沿う縦壁部が形成されていることを特徴とする。
【００２０】
上記構成によれば、切欠部に設けられた縦壁部が防振保持部材の外周面に面状に接するため、配管部材の振動が、防振保持部材および縦壁部を経て広い面積で切欠部に安定的に受け止められる。このため、配管部材の振動をより効果的に制振することができる。
【００２１】
また、本発明に係る内外一体型空気調和機は、上下に一体化された室外ユニットおよび室内ユニットと、前記室外ユニットおよび前記室内ユニットの間を隔てる隔壁部材と、前記のいずれかの配管部材支持構造と、を備えてなることを特徴とする。
この内外一体型空気調和機によれば、隔壁部材の縁部に形成された切欠部に弾性体である防振保持部材が密に嵌合され、この防振保持部材に配管部材が防振的に保持されるため、室外ユニットに内蔵されている圧縮機の振動が配管部材を経て室内ユニット側に伝達されにくくなり、振動音の発生および蒸発器の耐久性低下を抑制することができる。
しかも、防振保持部材に形成されている配管挿通穴は、防振保持部材の嵌合方向に向かって延びる切通し部を経て防振保持部材の背面側に連通しているため、配管部材の配設後に防振保持部材を装着することができ、防振保持部材の組み付け作業性を良くすることができる。
【発明の効果】
【００２２】
以上のように、本発明に係る内外一体型空気調和機の配管部材支持構造、およびこれを備えた内外一体型空気調和機によれば、配管部材の挿通部における組立作業性および密封性を向上させるとともに、配管部材の振動および凝縮水の外部漏洩等を防止することができる。
【図面の簡単な説明】
【００２３】
【図１】本発明の実施形態に係る内外一体型空気調和機の背面図である。
【図２】図１のII-II矢視により本発明の一実施形態を示す空気調和機の横断面図である。
【図３】図１のIII部拡大図である。
【図４】本発明の一実施形態を示す配管部材支持構造の平面図である。
【図５】防振ブロックの斜視図である。
【図６】防振ブロックの上面図である。
【図７】図５のVII矢視による防振ブロックの正面図である。
【図８】防振ブロックの下面図である。
【図９】図７のIX-IX線に沿う防振ブロックおよび配管部材の縦断面図である。
【図１０】図５のＸ矢視による防振保持部材の後面図である。
【発明を実施するための形態】
【００２４】
以下に、本発明の実施形態について図面を参照しながら説明する。
図１は、本発明に係る配管部材支持構造の実施形態が適用された内外ユニット一体型の空気調和機の背面図であり、図２は図１のII-II矢視による空気調和機の横断面図である。
【００２５】
この内外一体型空気調和機１は、その最下部に、水平且つ矩形のトレー状のドレンパン２が設けられ、中間部にも同様なトレー状の中間フレーム３（隔壁部材）が設けられている。ドレンパン２と中間フレーム３は、例えばそれぞれ樹脂成形されており、その各々の四隅に鉛直に配置された図示しない金属製のアングル材等によって互いに連結されて空気調和機フレームを構成している。そして、この空気調和機フレームの周囲に外装板６や天井板７、正面板８、背面板（非図示）等が被装されている。
【００２６】
ドレンパン２の上には室外ユニット１１が設置されている。図１中に示す符号１２はコンデンサ（凝縮器）、符号１３は冷却ファンである。その他、図示しない圧縮機（コンプレッサ）や制御装置等を具備して室外ユニット１１が構成されている。
【００２７】
一方、中間フレーム３の上には室内ユニット２１が設置されている。室内ユニット２１は、樹脂製のユニットボックス２２の内部に、図示しない蒸発器（エバポレータ）や送風機（シロッコファン）等が内蔵されて構成されている。
【００２８】
このように、室外ユニット１１および室内ユニット２１は上下に一体化されており、その間が中間フレーム３によって隔てられている。そして、室外ユニット１１と室内ユニット２１との間を接続する２本の金属製の配管部材２６，２７が中間フレーム３を貫通しており、この貫通部に、本発明に係る配管部材支持構造Ｓが適用されている。配管部材２６，２７は、例えばそれぞれ高圧冷媒ホースと低圧冷媒ホースであるが、他の種類の配管類であってもよい。
【００２９】
図３は、図１のIII部を拡大して配管部材支持構造Ｓを示す拡大図であり、図４は配管部材支持構造Ｓの平面図である。
図２〜図４に示すように、配管部材支持構造Ｓは、中間フレーム３の縁部に形成された、平面視で湾入形状を有する切欠部３１と、この切欠部３１に密に嵌合される防振ブロック３２（防振保持部材）とを具備した構成となっている。図５〜図１０は、防振ブロック３２の単体図である。防振ブロック３２は、ゴムや軟質樹脂、シリコン樹脂、発泡性樹脂等の弾性材料によって形成されており、切欠部３１に密に嵌合され、配管部材２６，２７を防振的に保持する役割を持つ部品である。
【００３０】
平面視（図２、図４参照）で、切欠部３１は、中間フレーム３の縁部をほぼ矩形に切り取って中間フレーム３の内側領域に向かって湾入させた形状を呈しており、図３、図４に示すように、切欠部３１の内周縁部３３がフランジ状になっており、この内周縁部３３が防振ブロック３２の外周面に形成された外周嵌合溝３４に嵌合するようになっている。外周嵌合溝３４は、防振ブロック３２の左右両側面および後面の三面にかけて形成されている。
【００３１】
また、切欠部３１の両側部には鉛直な縦壁部３５が形成されている。この縦壁部３５は、トレー状に形成されている中間フレーム３の外周壁３ａ（図２、図４参照）に連続しており、切欠部３１に嵌合された防振ブロック３２の外周面に沿う壁である。なお、本実施形態では、縦壁部３５が切欠部３１の対向する二側辺にのみ形成されているが、切欠部３１の湾入形状の全周に亘って形成してもよい。
【００３２】
図４に示すように、切欠部３１における内周縁部３３の両端部（最前部）には、一対の係合爪３７が形成されている。この一対の係合爪３７は、互いに近づくように、切欠部３１の湾入形状の内側に向かって延びている。この係合爪３７は、その水平方向および鉛直方向の厚み寸法が、内周縁部３３の水平、鉛直方向の厚み寸法よりも大きく設定されている。
【００３３】
一方、図５、図７、図８等に示すように、防振ブロック３２の外周面に形成されて切欠部３１の内周縁部３３に嵌合する外周嵌合溝３４には、その両端部に、前述の係合爪３７が係合する係合凹部３６が形成されている。この係合凹部３６の水平方向および鉛直方向の深さ寸法は、外周嵌合溝３４の水平、鉛直方向の深さ寸法よりも大きくなっている。
【００３４】
また、防振ブロック３２には、配管部材２６，２７が密に挿通される２つの鉛直な配管挿通穴３８，３９と、これらの配管挿通穴３８，３９からそれぞれ防振ブロック３２の嵌合方向Ｆ（図４参照）に向かって延びて防振ブロック３２の背面側に抜ける切通し部４１，４２（図４、図５、図８参照）とが形成されている。
【００３５】
切通し部４１，４２は、それぞれ対向する平行な二面４１ａ，４１ａと、４２ａ，４２ａとを有しており、図４に示すように、これらの二面４１ａ，４１ａの間隔寸法ｗ１と、４２ａ，４２ａの間隔寸法ｗ２は、それぞれ配管挿通穴３８，３９の内径寸法ｄ１，ｄ２よりも小さく、且つ、防振ブロック３２の弾性範囲内で切通し部４１，４２を押し開くことによって配管部材２６，２７を配管挿通穴３８，３９に嵌め込み可能な間隔に設定されている。
例えば、配管挿通穴３８，３９の内径寸法ｄ１，ｄ２が、それぞれ６ミリ、９．５ミリであるとすれば、二面４１ａ，４２ａの間隔寸法ｗ１，ｗ２は、それぞれ４ミリ、７．５ミリ程度に設定される。
【００３６】
さらに、図４に示すように、防振ブロック３２における切通し部４１，４２の最上部は、二面４１ａ，４１ａおよび４２ａ，４２ａの間隔がゼロになるスリット部４５，４６となっており、防振ブロック３２の平面視では切通し部４１，４２が見えなくなっている。つまり、防振ブロック３２の平面視では配管挿通穴３８，３９と、この配管挿通穴３８，３９から延びるスリット部４５，４６しか見えない。
【００３７】
スリット部４５，４６が設けられている部分の肉厚ｔ（図９参照）は、配管部材２６，２７の配管挿通穴３８，３９への嵌め込みを妨げない程度の厚さ、即ち配管部材２６，２７が切通し部４１，４２を通過する時に、スリット部４５，４６が設けられている部分を捲り上げることができる、例えば１〜２ミリ程度の厚さ設定されている。
【００３８】
また、防振ブロック３２の上面には、配管挿通穴３８，３９の周囲を間隔を空けて囲む止水壁４８が立設されている。この止水壁４８は、防振ブロック３２の上面の前縁部および両側縁部から起立し、平面視でチャンネル形状を呈している。なお、防振ブロック３２の後縁部にも止水壁４８を形成してよい。
この止水壁４８の高さは、防振ブロック３２よりも高位置にある配管部材２６，２７の表面に結露した凝縮水が下方に流下した際に、この凝縮水をまとめておくことができる程度、即ち数ミリから１〜２センチ程度に設定される。
【００３９】
配管部材支持構造Ｓは以上のように構成されている。
内外一体型空気調和機１の組立時においては、ドレンパン２と中間フレーム３との上に、それぞれ室外ユニット１１と室内ユニット２１とが組み付けられ、これら両ユニット１１，２１の間が配管部材２６，２７で接続された後に、図４に示すように、中間フレーム３の切欠部３１に防振ブロック３２が嵌め込まれて配管部材２６，２７の防振が図られる。
【００４０】
この防振ブロック３２の嵌め込み時には、防振ブロック３２の外周嵌合溝３４に、切欠部３１の内周縁部３３が差し込まれるように、防振ブロック３２を嵌合方向Ｆに押圧する（図４参照）。そして、防振ブロック３２の切通し部４１，４２をそれぞれ配管部材２６，２７にあてがい、さらに嵌合方向Ｆに押圧すると、配管部材２６，２７が切通し部４１，４２を通り抜けて配管挿通穴３８，３９に嵌め込まれる。これと同時に、切欠部３１の係合爪３７が、外周嵌合溝３４の係合凹部３６に係合する。このため、防振ブロック３２が切欠部３１から抜脱しにくくなる。
【００４１】
配管部材２６，２７は、切欠部３１に密に嵌合された防振ブロック３２の配管挿通穴３８，３９によって防振的に保持される。このため、室外ユニット１１に内蔵されている圧縮機の振動が金属製の配管部材２６，２７を経て室内ユニット２１側に伝達されてしまうことが防止され、振動音の発生や、室内ユニット２１側に内蔵されている図示しない蒸発器の耐久性低下といった懸念を解消することができる。
【００４２】
防振ブロック３２に形成されている配管挿通穴３８，３９は、防振ブロック３２の嵌合方向Ｆに向かって延びる切通し部４１，４２を経て防振ブロック３２の背面側に連通している。このため、切欠部３１の中を通る配管部材２６，２７の配設が完了していても、この配管部材２６，２７に対して防振ブロック３２を後から簡単に嵌め込み、切欠部３１に装着することができる。したがって、防振ブロック３２を組み付ける際の作業性が極めて良い。
【００４３】
切通し部４１，４２の二面４１ａ，４２ａの間隔寸法ｗ１，ｗ２は、防振ブロック３２の弾性範囲内で押し開けば配管部材２６，２７を配管挿通穴３８，３９に嵌め込むことができる大きさに設定されている。しかし、この間隔寸法ｗ１，ｗ２は、配管挿通穴３８，３９の内径寸法よりも狭い寸法に設定されているため、配管挿通穴３８，３９に嵌め込まれた配管部材２６，２７が振動等によって切通し部４１，４２側に抜けてしまうことがない。したがって、防振ブロック３２の弾性によって配管部材２６，２７の水平方向（前後左右方向）への振動を効果的に制振することができる。
【００４４】
また、防振ブロック３２における切通し部４１，４２の最上部は、対向する二面４１ａ，４２ａの間隔がゼロになるスリット部４５，４６となっており、このスリット部４５，４６の肉厚ｔ（図９参照）は、配管部材２６，２７が配管挿通穴３８，３９に嵌め込まれることを妨げない程度の厚さに設定されている。そして、このスリット部４５，４６によって切通し部４１，４２の上部が閉塞されている。
【００４５】
したがって、配管部材２６，２７の表面に結露した凝縮水が防振ブロック３２の上面に流れ落ちた場合に、この凝縮水が切通し部４１，４２から勢い良く下方に流れ落ちることが防止される。凝縮水はスリット部４５，４６から少量ずつ下方に漏れ、配管部材２６，２７を伝って下方に流れる。このため、凝縮水を所定の位置（ドレンパン２等）に確実に導いて適切に処理することができる。
【００４６】
しかも、スリット部４５，４６によって切通し部４１，４２の上部が閉塞されるため、室外ユニット１１と室内ユニット２１との間での空気の流動を阻止することができる。このため、例えば冷房運転時に室外ユニット１１の内部に発生する熱風が室内ユニット２１の内部に流れて冷房効率を低下させてしまうこと（熱ロス）を効果的に防止することができる。
【００４７】
また、防振ブロック３２の上面には、配管挿通穴３８，３９の周囲を間隔を空けて囲む止水壁４８が立設されているため、配管部材２６，２７の表面に結露した凝縮水が防振ブロック３２の上面に流れ落ちた場合に、この凝縮水が止水壁４８によって堰き止められ、流動を防止される。このため、凝縮水を任意の方向に流して適切に処理することができる。
【００４８】
さらに、防振ブロック３２の外周面には、切欠部３１の内周縁部３３に嵌合する外周嵌合溝３４が形成され、内周縁部３３の両端部には、切欠部３１の湾入形状の内側に向かって延びる係合爪３７が形成され、外周嵌合溝３４の両端部には、係合爪３７が係合する係合凹部３６が形成されている。
【００４９】
このため、防振ブロック３２の外周嵌合溝３４に切欠部３１の内周縁部３３が嵌るように防振ブロック３２を切欠部３１に押し込めば、最後に内周縁部３３の係合爪３７が外周嵌合溝３４の係合凹部３６に係合し、これによって防振ブロック３２が切欠部３１に位置決めされて嵌合される。この係合爪３７と係合凹部３６との係合により、防振ブロック３２が切欠部３１から自然に抜脱することがない。したがって、防振ブロック３２の組み付け作業性を向上させるとともに、切欠部３１における防振ブロック３２の保持力を格段に高めることができる。
【００５０】
また、切欠部３１には縦壁部３５が形成されており、この縦壁部３５が防振ブロック３２の外周面に面状に接するため、配管部材２６，２７の振動が、防振ブロック３２および縦壁部３５を経て広い面積で切欠部３１に安定的に受け止められる。このため、配管部材２６，２７の振動をより効果的に制振することができる。
【００５１】
そして、このような配管部材支持構造Ｓを備えた内外一体型空気調和機１によれば、隔壁部材である中間フレーム３の縁部に形成された切欠部３１に弾性体である防振ブロック３２が密に嵌合され、この防振ブロック３２に配管部材２６，２７が防振的に保持されるため、室外ユニット１１に内蔵されている圧縮機の振動が配管部材２６，２７を経て室内ユニット２１側に伝達されにくくなり、振動音の発生および蒸発器の耐久性低下を抑制することができる。
【００５２】
以上説明したように、本実施形態に係る内外一体型空気調和機の配管部材支持構造、およびこれを備えた内外一体型空気調和機によれば、上下に一体化された室外ユニット１１と室内ユニット２１との間を隔てる隔壁部材（中間フレーム３）に配管部材２６，２７が貫通される構造の内外一体型空気調和機１において、配管部材２６，２７の隔壁部材への貫通部（切欠部３１）における組立作業性および密封性を向上させるとともに、配管部材２６，２７の振動および凝縮水の外部漏洩等を防止することができる。
【００５３】
なお、本発明は、上記実施形態の構成のみに限定されるものではなく、本発明の要旨を逸脱しない範囲内において適宜変更や改良を加えたり、適用分野を変更したりすることもでき、このように変更や改良を加えた実施形態も本発明の権利範囲に含まれるものとする。
【００５４】
例えば、上記実施形態では、内外一体型空気調和機１を構成する室外ユニット１１と室内ユニット２１との間を隔てる中間フレーム３に２本の配管部材２６，２７が貫通する部分に本発明に係る配管部材支持構造を適用した例について説明したが、同様な構成部であれば、他の場所にも本発明に係る配管部材支持構造を適用することができる。もちろん、配管部材２６，２７の本数や用途等は上記実施形態のものに限定されない。
【符号の説明】
【００５５】
１  内外一体型空気調和機
２  ドレンパン
３  中間フレーム（隔壁部材）
１１  室外ユニット
２１  室内ユニット
２６，２７  配管部材
３１  切欠部
３２  防振ブロック（防振保持部材）
３３  切欠部の内周縁部
３４  防振ブロック外周嵌合溝
３５  縦壁部
３６  係合凹部
３７  係合爪
３８，３９  配管挿通穴
４１，４２  切通し部
４１ａ，４２ａ  切通し部の二面
４５，４６  スリット部
４８  止水壁
Ｆ  防振ブロックの嵌合方向
Ｓ  配管部材支持構造
ｄ１，ｄ２  配管挿通穴の内径寸法
ｔ  スリット部の肉厚
ｗ１，ｗ２  切通し部二面の間隔寸法
【図１】
2015178928.tif 000003
【図２】
2015178928.tif 000004
【図３】
2015178928.tif 000005
【図４】
2015178928.tif 000006
【図５】
2015178928.tif 000007
【図６】
2015178928.tif 000008
【図７】
2015178928.tif 000009
【図８】
2015178928.tif 000010
【図９】
2015178928.tif 000011
【図１０】
2015178928.tif 000012